(57)【特許請求の範囲】
【請求項１】
映像を表示する表示デバイスと、入力色信号から色差成分を生成して取り出す色差成分生成部と、前記色差成分生成部から出力された色差成分に適当な係数を用いた演算を行って色空間変換された映像信号と入力色信号との差のレベル成分を生成する変換レベル差発生部とを備え、前記係数の値が、輝度色差信号を色信号にデコードするデコード行列と色空間変換行列との積と、前記デコード行列との差から導かれるものであることを特徴とする画像表示装置。
【請求項２】
映像を表示する表示デバイスと、入力色信号から色差成分を生成して取り出す色差成分生成部と、前記色差成分生成部から出力された色差成分に適当な係数を用いた演算を行って色空間変換された映像信号と入力色信号との差のレベル成分を生成する変換レベル差発生部と、前記変換レベル差発生部での演算に用いる係数を格納している係数テーブルと、前記係数テーブルから取り出せる係数の値のうち少なくとも一つを操作する操作部とを備え、前記操作部が前記係数テーブルから取り出す係数の値のうち少なくとも一つを操作する事で、前記表示デバイスに表示する画像の表示色を操作することを特徴とし、前記係数の値が、輝度色差信号を色信号にデコードするデコード行列と色空間変換行列との積と、前記デコード行列との差から導かれるものであることを特徴とする画像表示装置。
【請求項３】
映像を表示する表示デバイスと、入力色信号を輝度及び色差信号へ変換する色差変換部と、輝度及び色差信号を色空間変換された色信号へ変換する変換兼デコード部とを備え、前記変換兼デコード部から出力される色空間変換された色信号は、少なくとも２つの色差信号とそれぞれに対する適当な係数との積と、輝度信号との加算で生成される構成であり、前記色差信号と掛けあわせる前記係数は、輝度色差信号を色信号にデコードするデコード行列と、色空間変換行列との積で求められるものであり、前記色空間変換行列は行要素の和が等しくなるように設定されていることを特徴とする画像表示装置。
【発明の詳細な説明】
【０００１】
【発明の属する技術分野】
本発明は、複数の映像フォーマットに対応し、表示デバイスとしてＣＲＴ或いはＬＣＤやＰＤＰ等の新デバイスを用いたディスプレイ及び投射式ビデオプロジェクター装置に関する。
【０００２】
【従来の技術】
現在、デジタルテレビ放送技術の進歩につれ、放送用ＶＴＲなどのビデオ信号送出装置から送られてくる映像信号（ビデオ信号）の仕様が、表示すべき映像信号の走査周波数、映像表示期間、及び表示位置、映像帰線期間等が多種多様となっている。
【０００３】
このため、１台の画像表示装置で各種の映像信号（ビデオ信号）に対応して適切な映像表示ができる、いわゆるマルチスキャンディスプレイが使用されるようになってきた。
【０００４】
さらに、近年、表示用デバイスとして従来主流であったＣＲＴ以外に、ＬＣＤやＰＤＰといった新表示デバイスの進歩がめざましく、これらのデバイスを使用した画像表示装置も市場に出ている。
【０００５】
特に映像信号規格に忠実な色再現を必要とされる分野での画像表示装置では映像信号を表示用デバイスにあわせて色空間変換して表示するものがある。
【０００６】
以下、図面を用いて従来の色空間変換を行う画像表示装置の一例を説明する。
【０００７】
図７に従来の色空間変換を行う画像表示装置の単純化したブロック図を示す。
【０００８】
図７において、ＲＧＢの映像信号を色空間変換する変換マトリクス回路１０が表示インターフェイス１１を介して表示デバイス１２に接続されている。表示デバイス１２は例えばＣＲＴやＬＣＤである。
【０００９】
以上のように構成された従来の画像表示装置においては、ＲＧＢの映像信号がまず変換マトリクス回路１０にて色空間変換される。一次変換する構成例として図８に変換マトリクス回路１０の内部ブロック図を示す。
【００１０】
変換マトリクス回路１０に入力されたＲＧＢの映像信号は３×３の行列演算を経て出力Ｒ’Ｇ’Ｂ’として出力される。なお図８において乗算回路部分は定数をかけるのであるがその定数部分は図では省略している。
【００１１】
変換マトリクス回路１０より出力された映像信号Ｒ’Ｇ’Ｂ’は表示インターフェイス１１にて表示デバイス１２を駆動するのに適切な信号に加工されて表示デバイス１２に到達し表示デバイス１２は画像を表示する。
【００１２】
また、図７の構成で、あらかじめ色信号に画質制御（例えばシャープネスやカラーゲインなど）を施す場合は、図７の構成の前段に画質制御の構成が必要で、その構成例を図６に示す。
【００１３】
図６は図７の構成に加えてシャープネス、カラーゲインを調整できるようにしているものである。
【００１４】
以下、図６を用いて画質制御を含めた従来の色空間変換を行う画像表示装置の一例を説明する。
【００１５】
図６において、１７はＲＧＢ（色）信号をＹＰBＰR（輝度・色差）信号へ変換する色差変換部であり、画質調整ブロックの例としてシャープネス調整部１８、カラーゲイン調整部１９を色差変換部１７の後段に設置している。デコード部２１は輝度・色差信号をＲＧＢ信号へ変換するブロックであり、ＹＰBＰRを画質調整した結果のＹ’ＰB’ＰR’を色信号Ｒ”Ｇ”Ｂ”へ変換する。以降は図７の構成と同様で、変換マトリクス回路１０に入力されたＲ”Ｇ”Ｂ”の映像信号は３×３の行列演算を経て出力Ｒ’Ｇ’Ｂ’として出力される。
【００１６】
変換マトリクス回路１０より出力された映像信号Ｒ’Ｇ’Ｂ’は表示インターフェイス１１にて表示デバイス１２を駆動するのに適切な信号に加工されて表示デバイス１２に到達し表示デバイス１２は画像を表示する。
【００１７】
【発明が解決しようとする課題】
このような画像表示装置において、変換マトリクス回路１０は行列演算であるため、回路規模が非常に大きくなってしまう。これは特にデジタル演算の場合に顕著である。更に、この変換マトリクスを使って表示色制御を行うことは可能ではあるが、ホワイトバランスを変えずに任意の色の近傍色のみ操作するといった制御は非常に困難である。
【００１８】
また、図６の構成で、変換マトリクス回路１０以外にも、色差変換部１７やデコード部２１もマトリクス回路の一種であり、これらは比較的大きな回路規模を必要とし、且つ、演算の繰り返しをすることで誤差が発生しやすい。
【００１９】
それ故本発明は上記課題を考慮し、比較的簡単な構成で色空間変換可能な画像表示装置を提供することを目的とする。
【００２０】
また、本発明は上記課題を考慮し、ホワイトバランスを変えずに任意の色の近傍色のみ操作する制御が可能な画像表示装置を提供することを目的とする。
【００２１】
また、本発明は上記課題を考慮し、画質制御のために色信号から輝度・色差信号への変換が必要であっても比較的簡単な構成で誤差の少ない色空間変換可能な画像表示装置を提供することを目的とする。
【００２２】
【課題を解決するための手段】
これらの課題を解決するために本発明の第１の発明は、映像を表示する表示デバイスと、入力色信号から色差成分を生成して取り出す色差成分生成部と、前記色差成分生成部から出力された色差成分に適当な係数を用いた演算を行って色空間変換された映像信号と入力色信号との差のレベル成分を生成する変換レベル差発生部とを備えた画像表示装置である。
【００２３】
本発明の第２の発明は、映像を表示する表示デバイスと、入力色信号から色差成分を生成して取り出す色差成分生成部と、前記色差成分生成部から出力された色差成分に適当な係数を用いた演算を行って色空間変換された映像信号と入力色信号との差のレベル成分を生成する変換レベル差発生部と、前記変換レベル差発生部での演算に用いる係数を格納している係数テーブルと、前記係数テーブルから取り出せる係数の値のうち少なくとも一つを操作する操作部と、を備えた画像表示装置である。
【００２４】
本発明の第３の発明は、前記操作部が前記係数テーブルから取り出す係数の値のうち少なくとも一つを操作する事で、前記表示デバイスに表示する画像の表示色を操作する、本発明の第２の発明に記載の画像表示装置である。
【００２５】
本発明の第４の発明は、前記係数の値が、輝度色差信号を色信号にデコードするデコード行列と色空間変換行列との積と、前記デコード行列との差から導かれるものである、本発明の第１乃至第３の発明に記載の画像表示装置である。
【００２６】
本発明の第５の発明は、前記色空間変換行列は行要素の和が等しくなるように設定されている、本発明の第４の発明に記載の画像表示装置である。
【００２７】
本発明の第６の発明は、映像を表示する表示デバイスと、入力色信号を輝度及び色差信号へ変換する色差変換部と、輝度及び色差信号を色空間変換された色信号へ変換する変換兼デコード部とを備えた画像表示装置である。
【００２８】
本発明の第７の発明は、前記変換兼デコード部から出力される色空間変換された色信号は、少なくとも２つの色差信号とそれぞれに対する適当な係数との積と、輝度信号との加算で生成される構成である、本発明の第６の発明に記載の画像表示装置である。
【００２９】
本発明の第８の発明は、前記色差信号と掛けあわせる前記係数は、輝度色差信号を色信号にデコードするデコード行列と、色空間変換行列との積で求められるものである、本発明の第６乃至第７の発明に記載の画像表示装置である。
【００３０】
本発明の第９の発明は、前記色空間変換行列は行要素の和が等しくなるように設定されている、本発明の第６乃至第８の発明に記載の画像表示装置である。
【００３１】
【発明の実施の形態】
本発明の実施の形態を述べる前に、本発明で用いる色空間変換の数式展開について述べておく。
【００３２】
従来の色変換アルゴリズムでは、ＲＧＢを、色変換されたＲＧＢ信号にする場合は、変換の行列計算に必要な係数は９個であった。
【００３３】
行列計算を回路で実現する場合、一般に係数の数と等しい個数の乗算回路が必要となり、例えば従来の変換マトリクスでは図８のように少なくとも９個の乗算回路が必要であった。しかし乗算回路は多くの回路規模を必要とするため、回路のコストなどを考えると出来るだけ少ない個数であることが望ましい。
【００３４】
例えば表示デバイス１２としてＬＣＤを想定した場合、ＣＲＴと同じ色をＬＣＤで表現するＬＣＤの信号ＲＧＢの比率を得るには、変換マトリクスをＭtとすると（数１）のようになる。
【００３５】
【数１】
0003675351.tif 000002
【００３６】
Ｍtを求める方法はいろいろあるがここでは割愛する。
【００３７】
一方、ＹＰBＰRを色変換されたＲＧＢ信号にする場合は、ＹＰBＰR→ＲＧＢへのデコード行列をＭdとし、且つＭtの行要素の和がどの行も１とすると（数２）のようになる。
【００３８】
【数２】
0003675351.tif 000003
【００３９】
次に上式を以下のように変換していく。
【００４０】
【数３】
0003675351.tif 000004
【００４１】
但し、
【００４２】
【数４】
0003675351.tif 000005
【００４３】
上記によると、デコード行列の係数とＹの値が解れば、ａ1〜ａ6の６つの係数を与える（実計算ではｂ1〜ｂ6を用いる）ことで変換前後の色信号の差分ΔＲ，ΔＧ，ΔＢを得ることが出来る。
【００４４】
従って、この方法ではＲＧＢからＹを求めなければならないのであるが、ここで用いる輝度方程式（ＲＧＢと輝度成分Ｙとの関係式）は特にどの放送規格にしたがったものでなければならないと言うものではない。上記信号の差分を求めるために便宜上算出するＹであるから、輝度方程式は任意に決めてしまっても良い。但しその場合、デコード行列の係数Ｄ1〜Ｄ4も任意に決めた輝度方程式を基に算出しておく必要があり、α、βも自分で決めた輝度方程式を基にした値である必要がある。
【００４５】
例えば、デジタル演算することを考慮して
Ｙ＝0.1875Ｒ＋0.75Ｇ＋0.0625Ｂ
と決めると、Ｙはビットシフトと加算で算出することが出来る。この場合αは0.0625、βは0.1875である。更に、
0003675351.tif 000006
すなわちこの例ではＤ1＝1.625、Ｄ2＝-0.15625、Ｄ3＝-0.40625、Ｄ4＝1.875となる。
【００４６】
以下、本発明の実施の形態について、図１から図５を用いて説明する。
【００４７】
なお、図１から図５において従来例と同等の役割をする構成物については同じ番号を付与している。また映像信号などはアナログ、デジタルの区別をしていないが、このことは特に本発明の内容を制限するものではなく、どちらの場合でも本発明は有効である。
【００４８】
（実施の形態１）
図１は本発明の第１の発明の画像表示装置のブロック図を示し、図１において１２は画像を表示する表示デバイスで、ＬＣＤ、ＰＤＰ、ＣＲＴ等、いろいろな場合がある。１１はＲＧＢの映像信号を表示デバイス１２に表示可能とする表示インターフェイスである。１５はＲＧＢの映像信号から色差成分（色信号と輝度信号との差の成分）を生成する、色差成分生成部である。１３は色差成分に適当な係数を用いた演算を行って色空間変換された映像信号と入力色信号との差のレベル成分を生成する変換レベル差発生部である。１４は変換レベル差発生部１３での演算に用いる係数を格納している係数テーブル部である。
【００４９】
変換レベル差発生部１３からの、色空間変換された映像信号と入力色信号との差のレベル成分（ΔＲ、ΔＧ、ΔＢ）は入力色信号Ｒ、Ｇ、Ｂそれぞれに加算されてＲ’、Ｇ’、Ｂ’となる構成となっている。
【００５０】
なお図１で加算回路として示している部分は減算機能も含む場合がある。また乗算回路でその役割を代用する場合もある。
【００５１】
以上のように構成された画像表示装置について、以下、その動作を述べる。
【００５２】
図１において入力信号Ｒ、Ｇ、Ｂは加算回路を経てＲ’、Ｇ’、Ｂ’となり、表示インターフェイス１１に入力される。
【００５３】
ここで、入力信号Ｒ、Ｇ、Ｂは色差成分生成部１５にもわたされ、色差成分生成部１５からは色差成分（色信号と輝度信号との差の成分。図１の例では色差成分はＢ−Ｙ、Ｒ−Ｙとしている。）が出力され変換レベル差発生部１３に入力される。
【００５４】
ここで更に、変換レベル差発生部１３の内部構成について図２を用いて説明する。図２は変換レベル差発生部１３の内部構成を簡易的に示す構成図である。図２において変換レベル差発生部１３に入力された色差成分の信号Ｂ−Ｙ、Ｒ−Ｙはそれぞれ係数テーブル部１４に格納されている適当な係数と掛け算され、その和がそれぞれΔＲ、ΔＧ、ΔＢとして変換レベル差発生部１３から出力される。
【００５５】
ここで係数テーブル部１４に格納している係数を（数３）（数４）で示したｂ1〜ｂ6に基づいて設定しておいた場合、ΔＲ、ΔＧ、ΔＢは係数に応じて色空間変換された映像信号と入力色信号との差のレベル成分となる。このレベル差成分をもとのＲ、Ｇ、Ｂ信号に足し込むことで色空間変換された映像信号Ｒ’、Ｇ’、Ｂ’を得ることが出来る。
【００５６】
このように色差成分生成部１５から出力された色差成分に適当な係数を用いた演算を行って色空間変換された映像信号と入力色信号との差のレベル成分を生成する変換レベル差発生部とを備えたことにより、従来の図８の変換マトリクスを用いるよりも大幅に回路規模が小さくて同等の色空間変換可能な画像表示装置を得ることが出来る。
【００５７】
色差成分の生成や変換レベル差の発生の算出について等さらなる詳細については後述する。
【００５８】
（実施の形態２）
図３は本発明の第２の発明の画像表示装置のブロック図を示し、図３において図１と共通の構成に加えて、表示色操作部１６が設置されており、表示色操作部１６によって係数テーブル部１４から取り出せる係数の値を増減できるような構成となっている。
【００５９】
なお図３で加算回路として示している部分は減算機能も含む場合がある。また乗算回路でその役割を代用する場合もある。
【００６０】
以上のように構成された画像表示装置について、以下、その動作を述べる。
【００６１】
図３において入力信号Ｒ、Ｇ、Ｂは加算回路を経てＲ’、Ｇ’、Ｂ’となり、表示インターフェイス１１に入力される。
【００６２】
ここで、入力信号Ｒ、Ｇ、Ｂは色差成分生成部１５にもわたされ、色差成分生成部１５からは色差成分（図３の例では色差成分はＢ−Ｙ、Ｒ−Ｙとしている。）が出力され変換レベル差発生部１３に入力される。変換レベル差発生部１３に入力された色差成分の信号Ｂ−Ｙ、Ｒ−Ｙはそれぞれ係数テーブル部１４に格納されている適当な係数と掛け算され、その和がそれぞれΔＲ、ΔＧ、ΔＢとして変換レベル差発生部１３から出力される。ここで係数テーブル部１４に格納している係数を（数３）（数４）で示したｂ1〜ｂ6に基づいて設定しておいた場合、ΔＲ、ΔＧ、ΔＢは係数に応じて色空間変換された映像信号と入力色信号との差のレベル成分となる。
【００６３】
ここまでの主要な動作は本発明の第１の発明と同様である。
【００６４】
ここで表示色操作部１６により、係数テーブル部１４から取り出せる係数の値を増減できるような構成となっているため、例えば任意の色、例えばＲに関連する係数の値のみ増減した場合、Ｒの近傍色を強調したり色度を変えたりすることが出来る。
【００６５】
ここで本発明の第３の発明である、表示色の操作をする画像表示装置について、更に述べる。
【００６６】
表示色操作部１６で係数テーブル部１４から取り出す係数の値のうち少なくとも一つを操作する事で、表示デバイス１２に表示する画像の表示色を操作することが出来る。
【００６７】
例えば、ｂ2を操作すると赤近傍の色のみ強調することが出来、ｂ1を操作すると赤近傍の色合いのみ変えることが出来る。同様にｂ5を操作すると青近傍の色のみ強調することが出来、ｂ6を操作すると青近傍の色合いのみ変えることが出来る。
【００６８】
このように、表示色操作部１６によって係数テーブル部１４から取り出せる係数の値を増減できるような構成を備えたことにより、任意の色の近傍色を操作する制御が可能な画像表示装置を得ることが出来る。
【００６９】
更にここで第４の発明である画像表示装置について述べる。
【００７０】
図３の構成で、画像表示装置の係数テーブル部１４の係数の値が（数２）（数３）で示されるような、輝度色差信号を色信号にデコードするデコード行列と色空間変換行列との積と、前記デコード行列との差から導かれるものであるようにしておくことで、色空間変換を行い、且つその上で任意の色の近傍色を操作する制御が可能な画像表示装置を得ることが出来る。
【００７１】
更にここで第５の発明である画像表示装置について述べる。
【００７２】
第４の発明の構成に加えて、係数テーブル部１４の係数の値を求めるのに用いた色空間変換行列を、行要素の和が等しくなるように設定しておくことで、係数がどんな値であっても、色差がない場合すなわちＲＧＢの信号レベルが等しい場合にＲ’Ｇ’Ｂ’の信号レベルも等しくなる。すなわちホワイトバランスは変わらない。
【００７３】
例えば、（数２）のように行要素の和が全て１としておくと、ｂ1〜ｂ6がどんな値であってもＢ−Ｙ、Ｒ−Ｙが０であれば、ＲＧＢとＲ’Ｇ’Ｂ’とは等しくなる。
【００７４】
このように行要素の和が等しくなるように設定された色空間変換行列を用いて係数テーブル部１４の係数の値を求めることで第４の発明の効果に加えて、色を操作する制御をしてもホワイトバランスを変えないでおけるという新たな効果がある。
【００７５】
（実施の形態３）
図４は本発明の第６の発明の画像表示装置のブロック図を示し、図４において１２は画像を表示する表示デバイスで、ＬＣＤ、ＰＤＰ、ＣＲＴ等、いろいろな場合がある。１１はＲＧＢの映像信号を表示デバイス１２に表示可能とする表示インターフェイスである。１７はＲＧＢ（色）信号をＹＰBＰR（輝度・色差）信号へ変換する色差変換部であり、画質調整ブロックの例としてシャープネス調整部１８、カラーゲイン調整部１９を色差変換部１７の後段に設置している。２０は変換兼デコード部であり、前段からの輝度色差信号を色信号に戻しながら色空間変換もする機能を持っている。なお１４は変換兼デコード部２０で用いる変換係数を格納している係数テーブル部である。
【００７６】
以上のように構成された画像表示装置について、以下、その動作を述べる。
【００７７】
図４において、入力信号Ｒ、Ｇ、Ｂは色差変換部１７でＹ、ＰB、ＰRに変換される。Ｙ信号はシャープネス調整部１８でシャープネス調整されてＹ’となり、ＰB、ＰR信号はカラーゲイン調整部１９でゲイン調整を受けＰB’、ＰR’となる。その後、Ｙ’、ＰB’、ＰR’は変換兼デコード部２０で色信号に戻されながら色空間変換され、Ｒ’、Ｇ’、Ｂ’となる。
【００７８】
このように、輝度及び色差信号を色空間変換された色信号へ変換する変換兼デコード部２０を備えることにより、図６に示すような従来よりも少ない構成で色空間変換が可能な画像表示装置を得られる。
【００７９】
次に変換兼デコード部の構成図である図５を用いて、第７の発明である画像表示装置について説明する。
【００８０】
図５において変換兼デコード部２０は、ＰB’、ＰR’という２つの色差信号とそれぞれに対する適当な係数との積と、輝度信号Ｙ’との加算を行い、Ｒ’、Ｇ’、Ｂ’として出力する構成となっている。係数として（数３）のａ1〜ａ6を用いるとするとＲ’、Ｇ’、Ｂ’は、Ｒ、Ｇ、Ｂを画質制御したものを色空間変換したものであることになる。
【００８１】
なお、図６にあるような従来のデコード部２１では本発明のような色空間変換と色信号への変換とを兼ねることは出来ない。なぜならデコード部２１はデコード行列Ｍdと輝度・色差信号との行列演算をする部分であるがその場合の演算に用いる係数は（数２）を参照するとわかるようにＤ1〜Ｄ4の４つしかない。例えばＲ信号を算出するのに用いる係数はＤ1のみである。ところが色空間変換と色信号への変換とを兼ねる演算を正しくするためにはａ1〜ａ6の６つの係数を用いる必要がある。例えば色空間変換されたＲ信号を算出するにはａ1、ａ2という２つの係数を用いる。その点で、本発明は２つの色差信号（ＰB’、ＰR’）とそれぞれに対する係数（ａ1、ａ2）との積と、輝度信号との加算で生成される構成となっているため、色空間変換と色信号への変換とを兼ねる演算が可能である。
【００８２】
このように、変換兼デコード部２０から出力される色空間変換された色信号は、少なくとも２つの色差信号とそれぞれに対する適当な係数との積と、輝度信号との加算で生成される構成であることにより、輝度及び色差信号を色信号に戻しながら色空間変換もすることが可能となる。
【００８３】
更にここで第８の発明である画像表示装置について述べる。
【００８４】
図５の構成で、画像表示装置の係数テーブル部１４の係数の値が（数２）で示されるような、輝度色差信号を色信号にデコードするデコード行列と、色空間変換行列との積で求められるものであるようにしておくことで、正確な色変換が可能な画像表示装置を得ることが出来る。
【００８５】
更にここで第９の発明である画像表示装置について述べる。
【００８６】
第８の発明の構成に加えて、係数テーブル部１４の係数の値を求めるのに用いた色空間変換行列を、行要素の和が等しくなるように設定しておくことで、ホワイトバランスを保ったまま色空間変換をすることが可能となる。
【００８７】
例えば、（数２）のように行要素の和が全て１としておくと、ａ1〜ａ6がどんな値であってもＰB、ＰR（図５ではＰB’、ＰR’）が０であれば、画質調整の影響を除けば、ＲＧＢとＲ’Ｇ’Ｂ’とは等しくなる。
【００８８】
このように行要素の和が等しくなるように設定された色空間変換行列を用いて係数テーブル部１４の係数の値を求めることで第８の発明の効果に加えて、ホワイトバランスを保ったまま色空間変換をすることが出来るという新たな効果がある。
【００８９】
【発明の効果】
以上のように本発明によれば、従来に比べ比較的少ない回路規模で色空間変換が可能という効果がある。また更に、ホワイトバランスを変えずに任意の色の近傍色のみ操作する制御が可能となる、また、画質制御のために色信号から輝度・色差信号への変換が必要であっても演算回数を大幅に減らすことが出来るので誤差の少ない色空間変換が可能となるという顕著な効果が得られる。
【図面の簡単な説明】
【図１】本発明の実施の形態１における画像表示装置のブロック図
【図２】本発明の実施の形態１における変換レベル差発生部の内部構成図
【図３】本発明の実施の形態２における画像表示装置のブロック図
【図４】本発明の実施の形態３における画像表示装置のブロック図
【図５】本発明の実施の形態３における変換兼デコード部の内部構成図
【図６】従来の画像表示装置の一例のブロック図
【図７】従来の画像表示装置の別の一例のブロック図
【図８】図７の画像表示装置の変換マトリクス部のブロック図
【符号の説明】
１０  変換マトリクス回路
１１  表示インターフェイス
１２  表示デバイス
１３  変換レベル差発生部
１４  係数テーブル部
１５  色差成分生成部
１６  表示色操作部
１７  色差変換部
２０  変換兼デコード部
【図１】
0003675351.tif 000007
【図２】
0003675351.tif 000008
【図３】
0003675351.tif 000009
【図４】
0003675351.tif 000010
【図５】
0003675351.tif 000011
【図６】
0003675351.tif 000012
【図７】
0003675351.tif 000013
【図８】
0003675351.tif 000014